(57)【要約】【課題】折り畳んだまま投擲可能とすることにより投擲飛距離とコントロール性を良好にする。【解決手段】油吸着マットの周端縁に沿って復元性のあるバネ材を配した。  これにより油吸着マットを二つ折り、あるいは四つ折りの状態に折り畳んだまま、これを水溶性の結束材にて結束して保管することができ、しかも使用時にはそのままの状態で投擲するために、多少の風があっても目的箇所に向けて正確に投擲することができ、また投擲飛距離が格段に向上する。  また油吸着マットを、重合させた二枚の親油性繊維の間に吸油性粉末ゲル化剤マットを介在させて積層体としたために、油回収材を回収した後においても油を吸着した二枚の親油性繊維から過剰な油が滴下（油垂れ）することがなく、衛生的であり、取り扱い性並びに作業性に優れる。【選択図】図１
2004257067.tif 000002
【特許請求の範囲】
【請求項１】
油吸着マットの周端縁に沿って復元性のあるバネ材を配してなることを特徴としたバネ式投擲用油吸着マット。
【請求項２】
周端縁に沿って復元性のあるバネ材を配してなる油吸着マットを折り畳んだ状態のまま水溶性の結束材にて結束してなるバネ式投擲用油吸着マット。
【請求項３】
油吸着マットが、重合させた二枚の親油性繊維の間に吸油性粉末ゲル化剤マットを介在させて積層体としたものであるところの請求項１又は請求項２に記載のバネ式投擲用油吸着マット。
【請求項４】
重合させた二枚の親油性繊維の外周縁端部を内折りして袋縫いにしてあるところの請求項３に記載のバネ式投擲用油吸着マット。
【請求項５】
重合される二枚の親油性繊維が不織布であるところの請求項３又は請求項４に記載のバネ式投擲用油吸着マット。
【請求項６】
重合される二枚の親油性繊維のそれぞれの厚みが２ｍｍ以上８ｍｍ以下であるところの請求項３〜５の何れか１に記載のバネ式投擲用油吸着マット。
【請求項７】
重合される二枚の親油性繊維の直径が４５０ｍｍ以上９００ｍｍ以内であるところの請求項３〜６の何れか１に記載のバネ式投擲用油吸着マット。
【請求項８】
重合させた二枚の親油性繊維の間に介在される吸油性粉末ゲル化剤マットが、一枚のシートに形成された多数の多孔質ゲル化剤ポケット内に吸油性粉末ゲル化剤を収容してあるものであるところの請求項３〜７の何れか１に記載のバネ式投擲用油吸着マット。
【発明の詳細な説明】
【０００１】
【発明の属する技術分野】
本発明は、例えば河川や湖沼、あるいは海洋に流出した重油その他の油を回収するための油回収材に関し、吸油能力の向上をはかるとともに十分な飛距離を確保でき、しかも直線的飛行を可能にして河川敷や湖岸、あるいは船上などからの目的箇所への正確な投擲を可能にし、これにより油回収効率と作業の安全性を向上させることを目的とする。
【０００２】
【従来の技術】
投擲用として従来一般的に汎用されている油吸着材は、不織布などを用いた厚さが４〜５ｍｍ程度の油吸着マットを四角平盤状にして重量を凡そ１００ｇ程度に構成したものが知られている。
【０００３】
【発明が解決しようとする課題】
しかしながら、上記した汎用のものは、比較的柔軟で保形成に劣るところから、特に投擲に際して形状が不安定となり、投擲方向や距離のコントロールが難しく、したがって目的箇所への適格な投擲がきわめて困難である。  また油の吸着能力が十分ではないばかりでなく、水面上において次第に水をも吸着して時間の経過とともに水中に沈降することが多いために、油の回収における作業効率の面において問題があった。
【０００４】
【課題を解決するための手段】
そこで本発明は、適度の保形成を維持させることにより投擲方向や距離の適確なコントロールを可能にし、しかも油の吸着能力を高め、水面上において長時間にわたり沈降することがない投擲用油回収材を開発したものであって、具体的には、請求項１の発明は、油吸着マットの周端縁に沿って復元性のあるバネ材を配してなることを特徴としたバネ式投擲用油吸着マットに関する。
【０００５】
また請求項２の発明は、周端縁に沿って復元性のあるバネ材を配してなる油吸着マットを折り畳んだ状態のまま水溶性の結束材にて結束してなるバネ式投擲用油吸着マットに関する。  さらに請求項３の発明は、油吸着マットが、重合させた二枚の親油性繊維の間に吸油性粉末ゲル化剤マットを介在させて積層体としたものであるところの請求項１又は請求項２に記載のバネ式投擲用油吸着マットに関する。
【０００６】
さらに請求項４の発明は、重合させた二枚の親油性繊維の外周縁端部を内折りして袋縫いにしてあるところの請求項３に記載のバネ式投擲用油吸着マットに関する。  さらに請求項５の発明は、重合される二枚の親油性繊維が不織布であるところの請求項３又は請求項４に記載のバネ式投擲用油吸着マットに関する。
【０００７】
さらに請求項６の発明は、重合される二枚の親油性繊維のそれぞれの厚みが２ｍｍ以上８ｍｍ以下であるところの請求項３〜５の何れか１に記載のバネ式投擲用油吸着マットに関する。  さらに請求項７の発明は、重合される二枚の親油性繊維の直径が４５０ｍｍ以上９００ｍｍ以内であるところの請求項３〜６の何れか１に記載のバネ式投擲用油吸着マットに関する。
【０００８】
さらに請求項８の発明は、重合させた二枚の親油性繊維の間に介在される吸油性粉末ゲル化剤マットが、一枚のシートに形成された多数の多孔質ゲル化剤ポケット内に吸油性粉末ゲル化剤を収容してあるものであるところの請求項３〜７の何れか１に記載のバネ式投擲用油吸着マットに関する。
【０００９】
本発明は上記の構成において、油吸着マットを各辺の中央部もしくは対角線に沿って二つ折りし、あるいは各辺の中央部で四つ折りに折り畳み、折り畳んだ状態のまま、これを紙紐、あるいはＰＶＡ（ポリビニールアルコール）のような水溶性フィルムなどの水溶性結束材により結束して保管し、使用時にはそのまま水面上の目的箇所に向けて投擲する。  水面上に落下した油吸着マットは、水溶性結束材が水に溶解して結束が解けると同時にマットの周端縁に沿って配された復元性バネ材により平板状に復元し、直ちに油の吸着を開始する。
【００１０】
【発明の実施の形態】
以下において、本発明の具体的な内容を図示の実施例をもとに説明すると、図１および図２には本発明の第１実施例があらわされている。  すなわち図１には、周端縁に沿って復元性のあるバネ材Ｓを入れて折り畳み自在とするとともに、投擲後、着水して後記する水溶性の結束材が水に溶解し、結束が解かれた際に速やかに元の形状に復元可能とした四角形状のバネ式油吸着マット１の平面があらわされている。  なおこの場合平面形状は円形でも、あるいは多角形でもよい。
【００１１】
さらに図２は図１のＡーＡ部断面があらわされており、これにより理解できるように、油吸着マット１は二枚の親油性繊維２ａ・２ｂを重合させるとともに、投擲する際に空気抵抗を減少させる目的で各外周端縁部を内側に内折りしてミシンにより袋縫いし、あるいは接着剤により接着することにより袋縫い部２ｃを形成している。
【００１２】
なお、ここで使用される親油性繊維２ａ・２ｂの材質としては油を吸収する能力のある材質のものである必要があり、一般的には不織布が用いられ、さらに具体的には一定の厚みを有するポリプロピレン繊維が、ガソリンや灯油、あるいは軽油、Ａ重油などの軽質油類を特に吸着しやすいので好ましい。
【００１３】
またこのほかにも、例えば三井化学株式会社の発売する、商品名「タフネルＰＨ−５０」や、あるいは東レファインケミカル株式会社の発売する、商品名「ウォセップ」や、九州フィルター工業株式会社の発売する、商品名「ＫＦＯ」、あるいは米国ナショナルソルベント社の、「ＭＡＸＸＪ−５０」などの使用が考えられる。
【００１４】
さらに油吸着マット１の周端縁に沿って装入される復元性のあるバネ材Ｓについては、水溶性の結束材（図示省略）が水に溶けて結束が解かれた際に、折り畳まれていた油吸着マット１を平坦状に復元させることができる程度の付勢力を有するものであれば、格別材質や太さなど問わないが、一般的には例えばピアノ線あるいはスプリング材等が用いられ、これらを二枚の親油性繊維２ａ・２ｂの両周端縁間に縫い込むなどにより固定して取りつける。
【００１５】
さらに図３には本発明の第２実施例があらわされている。  これは二枚の親油性繊維２ａ・２ｂの間に吸油性粉末ゲル化剤マット３を介在させた状態にて相互に一体的に重合させて構成したものである。  ここで使用される吸油性粉末ゲル化剤マット３については、表面の親油性繊維２ａ・２ｂから滲み出す軽質油を含む鉱物油を吸着してゲル化し、再流出を阻止することができるものであれば格別材質や形状等は問わないが、一例を挙げれば一枚のシートに一定間隔毎に形成された多数の多孔質ゲル化剤ポケット内に吸油性粉末ゲル化剤を収容してあるものが、油回収材の略全面にわたって吸油性粉末ゲル化剤が均等に配置されるので、より一層好ましい。
【００１６】
また、ここで使用される吸油性粉末ゲル化剤の具体例を挙げれば、ポリスチレンブロック相をポリマーの両端に有するポリスチレン・ポリブタジェンブロックポリマーの、スチレンとブタジェンの構成比が、１つはスチレン：２０（重量）部以下、ブタジェン：８０（重量）部以上、他の１つは、スチレン：４０（重量）部以上、ブタジェン：６０（重量）部以下の構成比を持ち、分子量が共に５×１０４以上の２成分からなる粉末ゲル化剤が使用できる。
【００１７】
またこのほかにも、ポリスチレンブロック相をポリマーの両端に持ち、１つはポリスチレン・ポリブタジェンブロックポリマーの、スチレンとブタジェンの構成比が、スチレン：２０〜４０（重量）部、ブタジェン：６０〜８０（重量）部に、他の１つは、ポリスチレン・ポリエチレン／ブチレンブロックポリマーの、スチレン：２５〜３５（重量）部、エチレン／ブチレン：６５〜７５（重量）部、の構成を持つ２成分からなる粉末ゲル化剤が使用できる。
【００１８】
上記した吸油性粉末ゲル化剤の使用としては、例えば、株式会社アルファジャパンの発売にかかる、商品名「アルファゲルマット」の使用が好ましい。  またこの場合の親油性繊維２ａ・２ｂの厚みについては、水面上において流失油をある程度吸着できる程度の厚みを有することが必要であり、そのためには厚さが１ｍｍ以下では油吸着が十分ではなく、少なくとも２ｍｍ以上の厚みを有する必要がある。
【００１９】
しかし厚さが８ｍｍを超えると全体の厚みが厚くなりすぎて投擲に際して障害となることから２ｍｍ〜８ｍｍの範囲内である必要がある。  また親油性繊維１の大きさについても、直径が４５０ｍｍ未満では油吸着が十分ではないばかりでなく、投擲に不向きとなる。  また反対に９００ｍｍを超えると、やはり投擲し難くなるところから直径が４５０ｍｍ以上９００ｍｍ以内である必要がある。
【００２０】
つぎに上記した各実施例の油吸着マット１の使用法について説明すると、上記第１実施例のマットは、折り畳みの一例として図４の（Ａ）〜（Ｃ）の経過を経て２つ折りに折り畳まれる。  また上記第２実施例のマットは、同じく折り畳みの一例として図５の（Ａ）〜（Ｃ）の経過を経て２つ折りに折り畳まれる。
【００２１】
いずれの実施例のものにおいても、折り畳まれた最終形状〔図４（Ｃ）又は図５（Ｃ）〕の状態において、これを水溶性結束材により結束して保管され、また使用時にはそのままの状態で水面上の目的箇所に向けて投擲使用される。  なおここで使用される水溶性結束材としては、例えば紙紐や紙テープ、または水溶性ポバールなどのＰＶＡ（ポリビニールアルコール）系のフィルム類、あるいは天然高分子系・半合成高分子系・合成高分子系などの水溶性フィルム類の使用などが考えられる。
【００２２】
【発明の効果】
本発明は上記した通り、油吸着マットの周端縁に沿って復元性のあるバネ材を配してなるものであるために、油吸着マットを二つ折り、あるいは四つ折りの状態に折り畳んだまま、これを水溶性の結束材にて結束して保管することができ、しかも使用時にはそのままの状態で投擲するために、多少の風があっても目的箇所に向けて正確に投擲することができ、また投擲飛距離が格段に向上する。
【００２３】
また油吸着マットを、重合させた二枚の親油性繊維の間に吸油性粉末ゲル化剤マットを介在させて積層体としたために、油回収材を回収した後においても油を吸着した二枚の親油性繊維から過剰な油が滴下（油垂れ）することがなく、衛生的であり、取り扱い性並びに作業性に優れる。  また重合させた二枚の親油性繊維の外周縁端部を内折りして袋縫いにしてあるために、投擲に際して空気抵抗が少なく、その結果投擲飛距離が格段に向上する。
【図面の簡単な説明】
【図１】本発明の第１実施例であるバネ式投擲用油吸着マットの概略平面図。
【図２】図１におけるＡーＡ線矢視方向の断面図。
【図３】本発明の第２実施例であるバネ式投擲用油吸着マットの中央断面図。
【図４】本発明における第１実施例のバネ式投擲用油吸着マットの折り畳み手順をあらわした概略説明図。
【図５】本発明における第２実施例のバネ式投擲用油吸着マットの折り畳み手順をあらわした概略説明図。
【符号の説明】
１        油吸着マット
２ａ      親油性繊維
２ｂ      親油性繊維
３        吸油性粉末ゲル化剤マット
Ｓ        復元性のあるバネ材
【図１】
2004257067.tif 000003
【図２】
2004257067.tif 000004
【図３】
2004257067.tif 000005
【図４】
2004257067.tif 000006
【図５】
2004257067.tif 000007